(57)【要約】      （修正有）【課題】構造が簡単で、袋の開閉が容易であり、着色により開口部が一目でわかるファスナー付収納袋を提供する。【解決手段】透明若しくは半透明な合成樹脂チューブの側面をカットして形成された開口部９と、該開口部と対向する他の側面を折り曲げて形成された底部４と、該開口部及び該底部が形成された該チューブを所定の長さ毎に溶断して形成された両側部３と、該底部から等距離の該チューブ内面に対向配置され、互いに咬合するファスナー６と、を備えたファスナー付袋体であって、底部から開口部の辺縁までの表裏両面の長さは、該裏面よりも該表面の方が短くて、表裏両面におけるファスナーから辺縁までの間の摘み片１３のうち、該表面の該摘み片は、指で摘まめる部分を残して該辺縁の所定範囲が切り欠かれており、ファスナーを形成する雌雄の部材の何れか一方若しくは双方、又は摘み片それぞれが着色されている。【選択図】図１
0003221619.tif 000002
【実用新案登録請求の範囲】
【請求項１】
透明若しくは半透明な合成樹脂チューブの側面をカットして形成された開口部と、該開口部と対向する他の側面を折り曲げて形成された底部と、該開口部及び該底部が形成された該チューブを所定の長さ毎に溶断して形成された両側部と、該底部から等距離の該チューブ内面に対向配置され、互いに咬合するファスナーと、を備えたファスナー付袋体であって、
前記底部から前記開口部の辺縁までの表裏両面の長さは、該裏面よりも該表面の方が短くて、前記表裏両面における前記ファスナーから前記辺縁までの間の摘み片のうち、該表面の該摘み片は、指で摘まめる部分を残して該辺縁の所定範囲が切り欠かれており、
前記ファスナーを形成する雌雄の部材の何れか一方若しくは双方、又は前記摘み片それぞれが着色されていることを特徴とするファスナー付収納袋。
【請求項２】
前記摘み片の内面に、前記辺縁と並行な複数のリブが形成されたことを特徴とする請求項１記載のファスナー付収納袋。
【請求項３】
前記底部は、マチが形成されたマチ底であることを特徴とする請求項１又は２記載のファスナー付収納袋。
【考案の詳細な説明】
【技術分野】
【０００１】
本考案は、合成樹脂で形成され、食品等の小物を収納して開閉するための咬合自在なファスナーが内面に設けられたファスナー付収納袋に関するものである。
【背景技術】
【０００２】
従来から、合成樹脂で形成された袋の開口部近傍に、咬合自在なファスナー（チャック又はファスナーとも称する）を貼着したものが、食品や雑貨などの収納容器として広く普及していた。
しかしながら、ファスナー付の収容袋は、ファスナーを開く際に袋の開口辺縁を指で摘まんで両側に引き、咬合を解除させる必要があり、指が滑ったり、指に力を入れる必要があることから、主婦や幼児、高齢者がその袋を開けるのが容易ではないという課題がある。
そこで、開口部の辺縁相互間に指を入れ易くするため、ファスナーよりも辺縁側に延出、曲折させた摘み部を設け、その端縁に指の滑り止め手段となる膨大部を設けたもの（特許文献１）や、その摘み部の表面に複数の突状を設けたものなどが提案されている（特許文献２、特許文献３）。
【０００３】
また、合成樹脂フィルムは、薄くて平滑で、静電気などによって密着しているうえ、袋口縁部が面一なため開口作業に難渋し、物品の充填包装作業の効率が悪いという課題があった。
そこで、ファスナーと袋口との間に形成されるつまみ片の高さを若干相違させると共に、つまみ片の縁部に沿って断面が円形のリブを形成し、そのリブの両端を溶着接続し、リブの外側を指先でつまんで相互にずらすことにより開口作業を容易化したものが提案されている（特許文献４）。
しかしながら、手が濡れている場合や握力が弱い場合などにはリブをずらすことが難しいので、一対の合成樹脂フィルムの一方に、少なくとも１つの切欠きが形成されたものが提案されている（特許文献５）。
さらに、雌雄の咬合部材が取り付けられた一方の側の摘み片の色と、他方の側の摘み片の色とを異なる色合いにするか、あるいは異なる色にして摘み片それぞれを視覚的に区別可能にしたものや、摘み片それぞれの長さが異なる部分を設け、使いやすくしたものが提案されている（特許文献６）。
【先行技術文献】
【特許文献】
【０００４】
【特許文献１】実開平３−１９３１３号公報
【特許文献２】実開平５−７６３０９号公報
【特許文献３】特許第４４２３０４５号公報
【特許文献４】実開平５−８４６４３号公報
【特許文献５】特開２００９−５７１０７号公報
【特許文献６】特許第６２９２４５５７号公報
【考案の概要】
【考案が解決しようとする課題】
【０００５】
しかしながら、摘み片を曲折する方法や縁部断面を円形にする方法は、製造工程が複雑化して効率がわるい。一方、摘み片の一部を切欠くだけでは摘み片を持つ際に指が滑りやすく、袋を開けにくい。また、摘み片の色を異なる色合いにするか、あるいは異なる色にするのは、開口部がわかりやすい反面、フィルムの製造工程が複雑化する。
本考案は、上記事情に鑑み、構造が簡単で、袋の開閉が容易であり、着色することにより一目で開口部がわかるファスナー付収納袋を提供することを目的とする。
【課題を解決するための手段】
【０００６】
本考案のファスナー付収納袋は、透明若しくは半透明な合成樹脂チューブの側面をカットして形成された開口部と、該開口部と対向する他の側面を折り曲げて形成された底部と、該開口部及び該底部が形成された該チューブを所定の長さ毎に溶断して形成された両側部と、該底部から等距離の該チューブ内面に対向配置され、互いに咬合するファスナーと、を備えたファスナー付袋体であって、上記底部から上記開口部の辺縁までの表裏両面の長さは、該裏面よりも該表面の方が短くて、上記表裏両面における上記ファスナーから上記辺縁までの間の摘み片のうち、該表面の該摘み片は、指で摘まめる部分を残して該辺縁の所定範囲が切り欠かれており、上記ファスナーを形成する雌雄の部材の何れか一方若しくは双方、又は上記摘み片それぞれが着色されていることを特徴とする。
このように、表裏両面の長さが異なるようにすると共に、長さが短い表面側摘み片を、指で摘まめる部分を残して切り欠いてあるので、袋の開口部が開け易い。また、摘み片又はファスナーが着色されているので、開口部が一目でわかる。
また、上記摘み片の内面に、上記辺縁と並行な複数のリブが形成されていれば、摘み片を指で摘まんでファスナーを開く際に、指の滑りを防ぐことができる。
さらに、上記底部は、マチが形成されたマチ底にすることもできる。
【考案の効果】
【０００７】
本考案のファスナー付収納袋によれば、構造が簡単で、底部から開口部辺縁までの長さが異なり、長さの短い表面側の辺縁を切欠いてあるので、袋が開け易い上に、摘み片又はファスナーが着色されているので、開口部が一目でわかり、使いやすい。
【図面の簡単な説明】
【０００８】
【図１】図１は、本実施形態のファスナー付収納袋の一例を示す正面図である。
【図２】図２は、本実施形態のファスナー付収納袋のファスナー設置位置近傍の側断面図である。
【図３】図３は、本実施形態のファスナー付収納袋の開口部を開く動作を示す図である。
【図４】図４は、本実施形態のファスナー付収納袋の他の例を示す正面図である。
【図５】図５は、本実施形態のファスナー付収納袋の他の例の底部近傍の側断面図である。
【考案を実施するための形態】
【０００９】
以下に、本考案のファスナー付収納袋の実施形態について図に基づいて説明する。
図１及び図２は、本実施形態のファスナー付収納袋の一例を示す図であり、図１は正面図、図２はファスナー設置位置近傍の側断面図である。
図１及び図２に示すように、本実施形態のファスナー付収納袋１０は、透明な合成樹脂チューブの側面をカットして形成された開口部９と、その開口部９と対向する他の側面を折り曲げて形成された底部４と、開口部９及び底部４が形成されたチューブを所定の長さ毎に溶断して形成された両側部３と、底部４から等距離におけるチューブ内面に、互いに咬合する２条のファスナー６と、を有する。
ファスナー付収納袋１０の表面１には、上側に雄部材７が、下側に雌部材８が設置され、裏面２には、上側に雌部材８が、下側に雄部材７が設置されている。
但し、雌雄の部材７，８の上下の位置関係は必ずしもこれに限定する必要はなく、表面１と裏面２とで咬合する位置関係になっていればよい。
また、ファスナー付収納袋１０の表面１と裏面２とでは、底部４から開口部９の辺縁１２までの長さが相違し、ここでは、表面１の長さが裏面２の長さよりも短くなっているが、短い方を裏面２としてもよい。
従って、ファスナー６の咬合位置から辺縁１２までの間に形成された、指で摘まめる摘み片１３の長さ（図の縦方向の長さ）は、裏面２よりも表面１の方が短くなっている。
さらに、表面１の摘み片１３は、中央部分が、親指の太さの少なくとも２倍程度の長さ（本考案の「所定範囲」に相当する。以下、同じ。）に亘って辺縁１２を切り欠いてあり、切り欠き部分１６の深さは、親指と人差し指で摘まめる程度の摘み片１３が残るように設定されている。
【００１０】
ここで、親指と人差し指で摘まんでファスナー６を開放する際に、指が滑りにくくなるように摘み片１３の内面に辺縁１２と平行な複数のリブを設けることができる。
また、摘み片１３は、ファスナー付収納袋１０の開口部９がすぐにわかるように、例えばピンク色に着色されている。その場合、表面１の摘み片１３と裏面２の摘み片１３が重なった部分は、重ならない部分よりも色が濃く見えるので、親指と人差し指で摘まんで開く個所がすぐわかるようになっている。さらに、色の異なるものを複数用意しておき、収納する物品に応じて色を使い分ければ、冷蔵庫などに保管されたものを一目見ただけで判別して取り出すこともできる。
ここで、本実施形態のファスナー付収納袋１０は、２条のファスナー６が設置されているが、用途に応じて条数を増減してもよい。
また、袋体５を形成している合成樹脂チューブは必ずしも透明なものである必要はなく、半透明なものであってもよい。
【００１１】
図３は、本実施形態のファスナー付収納袋の開口部を開く動作を示す図である。
図３に示すようにファスナー付収納袋１０の表面側１における切欠き部分１６に対向する裏面側２の摘み片１３を左手の親指と人差し指で摘み、表面側１の切欠き部分１６付近を右手の親指と人差し指で摘まんで開口部９を拡げ、ファスナー６の咬合を開放する。
【００１２】
図４及び図５は、本実施形態のファスナー付収納袋の他の例を示す図であり、図４は正面図、図５は底部近傍の側断面図である。
図４に示すように、本実施形態の他の例のファスナー付収納袋１１は、半透明な合成樹脂チューブの側面をカットして形成された開口部９と、その開口部９と対向する他の側面を折り畳んでマチ１８が形成されたマチ付底部１９と、開口部９及びマチ付底部１９が形成されたチューブを所定の長さ毎に溶断して形成された両側部３と、マチ付底部１９から等距離のチューブ内面に対向配置され、互いに咬合する２条のファスナー６と、を備えている。
そして、ファスナー６を形成する雌雄の部材７、８は、例えば一方がイエローで、他方がホワイトになっている。従って、雌雄の部材７、８が咬合したファスナーは、イエローになり、その色でファスナー付収納袋１１の開口部９がすぐにわかるようになっている。
また、ファスナー付収納袋１１の表面１と裏面２とでは、マチ付底部１９から開口部９の辺縁１２までの長さは、表面１が短く、裏面２が長くなっている。
従って、ファスナー６の咬合位置から辺縁１２までの間の、指で摘まめる摘み片１３の長さ（図の縦方向の長さ）は、裏面２よりも表面１の方が短くなっている。
その上、表面１の摘み片１３は、中央部分が、親指の太さの少なくとも２倍程度の長さ（図の横方向の長狭さで、本考案の「所定範囲」に相当する。）に亘って辺縁１２が切り欠かれており、その切り欠き部分１６の深さ（図の縦方向の長さをいう。）は、親指と人差し指で摘まめる程度の摘み片１３が残るように設定されている。
また、本例では、摘み片１３それぞれの内面に、指で摘まんだ際に指が滑らないように複数のリブ１７が設けてある。
さらに、摘み片１３を形成するチューブは、袋体６の他の部分（本体）よりも厚くして、開口部９がさらに開けやすくなるようにすることもできる。
なお、ここでは、表面１の長さが裏面２の長さよりも短くなっているが、裏面２の長さを表面１の長さよりも短くしてもよい。
【００１３】
また、図５に示すように、本例のファスナー付収納袋１１のマチ付底部１９には、収納できるものの形状に対応させて、マチ１８が設けてある。従って、マチ１８を拡げれば、一定の面積の底面が形成されるので、立体形状物を収納することができる。
ここで、本実施形態のファスナー付収納袋１１は、2条のファスナー６が設置されているが、用途に応じてファスナー６の条数を増減することができる。
また、摘み片１３の内面に複数のリブ１７を設けているが、収納される物品によっては、必ずしも設ける必要はない。さらに、袋体５を形成している合成樹脂は必ずしも半透明なものである必要はなく、透明なものであってもよい。
【符号の説明】
【００１４】
１    表面側
２    裏面側
３    両側部
４    底部
６    ファスナー
７    雄部材
８    雌部材
９    開口部
１０、１１  ファスナー付収納袋
１２    辺縁
１３    摘み片
１６    切欠き部分
１７    リブ
１８    マチ
１９    マチ付底部
【図１】
0003221619.tif 000003
【図２】
0003221619.tif 000004
【図３】
0003221619.tif 000005
【図４】
0003221619.tif 000006
【図５】
0003221619.tif 000007